(57)【要約】【課題】強風等による足場布板の吹き上り及び脱落、強風による足場布板の位置ずれ、足場布板同士の衝突または足場布板の吹き上り等に起因する騒音を、確実に防止できるようにしたブラケットを提供する。【解決手段】主桿部１は、長さ方向ａの一端に結合部１１を有し、他端に結合部１２を有する。また、突起２１、２２は、主桿部１の長さ方向ａの中間部の一端側において、幅方向ｂの両側に突出して設けられ、突起２３、２４は、主桿部１の長さ方向ａの中間部の他端側において、幅方向ｂの両側に突出して設けられる。突起２１〜２４のそれぞれは、貫通孔２１０〜２４０を有する。【選択図】図１
2007162464.tif 000002
【特許請求の範囲】
【請求項１】
少なくとも１つの主桿部と、足場布板のための掛止部とを有する足場布板受け部材であって、
前記主桿部は、長さ方向の少なくとも一端に結合部を有しており、
前記掛止部は、前記主桿部の幅方向の両側の内、少なくとも片側に備えられ、前記主桿部との間に掛止間隔を有する、
足場布板受け部材。
【請求項２】
請求項１に記載された足場布板受け部材であって、
前記掛止部のそれぞれは、前記主桿部の側面から前記幅方向に延び、前記主桿部の上面側に向かって折り曲げられ、その折り曲げられた先端部と前記主桿部の側面との間に前記掛止間隔を有する、足場布板受け部材。
【請求項３】
請求項２に記載された足場布板受け部材であって、更に、突起を含み、
前記突起は、前記主桿部の前記幅方向の両側の内、少なくとも片側において、前記掛止部と隣り合う位置に突出して設けられ、貫通孔を有している、
足場布板受け部材。
【請求項４】
請求項３に記載された足場布板受け部材であって、
前記突起および前記掛止部の組み合わせは、少なくとも前記主桿部の幅方向の片側において、前記長さ方向に沿い、複数組設けられている、
足場布板受け部材。
【請求項５】
請求項４に記載された足場布板受け部材であって、
前記突起および前記掛止部の組み合わせは、前記幅方向の両側に存在する、
足場布板受け部材。
【請求項６】
請求項４または５の何れかに記載された足場布板受け部材であって、更に、結合部材を含んでおり、
前記主桿部は、２つであって、それぞれの一端が、前記結合部材に連結されている、
足場布板受け部材。
【請求項７】
請求項６に記載された足場布板受け部材であって、
前記主桿部のそれぞれは、互いにほぼ一直線に配置されている、
足場布板受け部材。
【請求項８】
請求項６に記載された足場布板受け部材であって、
前記主桿部のそれぞれは、互いに交叉する方向に配置されている、
足場布板受け部材。
【発明の詳細な説明】
【技術分野】
【０００１】
本発明は、建築物建設工事において、足場用布板を支持するために用いられる足場布板受け部材（以下、受け部材と称する）に関する。
【背景技術】
【０００２】
住宅等の建築物工事に当たっては、建築物の周囲または必要な箇所に足場支柱を組み、足場支柱に受け部材（持ち送り枠と称される）を取り付け、受け部材上に足場布板を渡す。作業員は、足場布板を渡り歩き、建設工事を施工する。
【０００３】
従来、足場布板を受け部材に取り付けるには、足場布板に備えられたフックを、受け部材に掛け止めていた。受け部材はフック及び爪片によって緩く挟まれる。
【０００４】
しかし、この従来の構造では、足場布板が、受け部材に対して緩く結合されているだけなので、足場布板が受け部材上で左右または上下方向に揺れ動く。しかも、強風によって、足場布板が受け部材上で左右、上下方向に揺動し、揺動に伴う騒音及び足場布板同士の衝突による騒音を発生するという問題を抱えていた。
【０００５】
また、フックのそれぞれは、足場布板の踏み面部の長さ方向おいて、踏み面部よりも外側に突出するように、側面板の両端に取り付けられている。このため、隣接して敷設された足場布板間に、フックの突出量に対応した隙間が生じ、更に、この隙間に受け部材が露出する。この隙間のために、足場布板上を歩行する作業員が受け部材や足場布板の端縁につまづいたり、隙間につま先を挟んだり、受け部材のために滑ったりし易く、これらが原因になって墜落事故を起す危険性を抱えていた。
【０００６】
更に、上述した隙間から作業用の工具や小物部品が落下し、作業員が負傷することがあった。作業現場では、作業員は、通常、ヘルメットを着用しているが、作業用工具、小物部品の落下の直撃を受けた場合、ヘルメットに衝撃穴が開くことがあり、極めて危険である。
【０００７】
特許文献１は上述した問題点を解決するのに有効な技術を開示している。特許文献１に開示された受け部材は、主桿部と、接続桿部と、接続機構とを含む。主桿部は、径方向の両側のそれぞれに、足場布板の掛止用切欠部に適合する突起を有する。接続桿部は、主桿部の両端側に備えられ、それぞれの接続桿部は、主桿部から同一方向にほぼ直角に折り曲げられている。
【０００８】
受け部材と組み合わされる足場布板は、基体部と、閂装置とを有する。基体部は、長さ方向の両側に幅方向に沿って伸びる２つの側面板を有し、側面板のそれぞれが少なくとも２つの掛止用切欠部を有する。掛止用切欠部のそれぞれは、間隔を隔てて設けられ、側面板の下端縁側で開口している。閂装置は、掛止用切欠部のそれぞれに備えられ、掛止用切欠部の開口を開閉する。
【０００９】
上述の足場布板及び受け部材を用いて建設工事用足場を構成する場合、建築物の周囲に組まれた足場支持部用パイプに受け部材を連結し、受け部材の突起に足場布板の掛止用切欠部を掛け止めながら敷設する。更に、閂装置を閉じることにより、足場布板に対して受け部材を固定する。
【００１０】
特許文献１に開示された技術によれば、強風等による足場布板の吹き上りを阻止すると共に、強風等による足場布板同士の衝突や足場布板の吹き上り等による騒音を防止できる。また、足場布板相互間の隙間を最小にすることができるので、作業用工具や小物部品の落下、それによる作業員の負傷を未然に防止できる。
【特許文献１】特許第２７５６２３５号公報
【発明の開示】
【発明が解決しようとする課題】
【００１１】
本発明の課題は、上述した特許文献１（特許第２７５６２３５号公報）に記載された受け部材を更に改良し、使用中または強風等によって発生する足場布板の揺動を、より確実に阻止し得る受け部材及び足場装置を提供することである。
【００１２】
本発明のもう一つの課題は、足場布板の位置ずれを確実に阻止できる受け部材及び足場装置を提供することである。
【００１３】
本発明の更にもう一つの課題は、強風等による足場布板同士の衝突、足場布板の吹き上り等に起因する騒音を、より一層確実に防止できる受け部材及び足場装置を提供することである。
【００１４】
本発明の更にもう一つの課題は、足場組立作業及び足場解体作業を安全、かつ、容易に実行できる受け部材及び足場装置を提供することである。
【課題を解決するための手段】
【００１５】
上述した課題を解決するため、本発明は、少なくとも３つの態様の受け部材を開示する。
【００１６】
＜第１の態様に係る受け部材＞
第１の態様に係る受け部材は、少なくとも１つの主桿部と、突起とを有する。前記主桿部は、長さ方向の少なくとも一端に結合部を有する。前記突起は、前記主桿部の幅方向の両側の内、少なくとも片側に突出して設けられ、貫通孔を有する。
【００１７】
この受け部材は、足場布板と組み合わされて足場装置を構成する。組み合わされる前記足場布板は、基体部と、開閉装置とを有する。前記基体部は、長さ方向の両側に幅方向に沿って延びる２つの側面板を有し、前記側面板のそれぞれが掛止用切欠部を有する。前記掛止用切欠部のそれぞれは、前記側面板の下端縁側で開口し、かつ、前記受け部材の前記突起に掛け止められている。
【００１８】
前記開閉装置は、支持腕と、ロック片を有し、前記掛止用切欠部のそれぞれに備えられている。前記支持腕は、前記側面板に固定されている。前記ロック片は、前記支持腕によって支持され、前記貫通孔を出入りすることによって、前記受け部材と前記足場布板とをロックし、または前記ロックを解除する。
【００１９】
足場装置の組立に当たっては、受け部材を足場支柱等に取り付け、次に受け部材の上に足場布板を敷設する。ここで、上述したように、第１の態様に係る受け部材は、主桿部が長さ方向の少なくとも一端に結合部を有する。したがって、受け部材を、主桿部に備えられた結合部を介して、足場支柱に固定して取り付けることができる。
【００２０】
このようにして足場支柱に取り付け固定された受け部材に対して、足場布板を敷設する。受け部材は、前記主桿部の幅方向の両側の内、少なくとも片側に突出する突起を有する。足場布板は、基体部の長さ方向の両側に幅方向に沿って延びる２つの側面板を有し、側面板のそれぞれが掛止用切欠部を有する。掛止用切欠部のそれぞれは、側面板の下端縁側で開口している。したがって、足場布板の敷設に当たり、受け部材の突起に足場布板の掛止用切欠部を掛け止めてゆくだけでよい。このため、作業に習熟しない者であっても、道具を用いることなく、足場布板の敷設作業を簡単、かつ、迅速に行うことができる。
【００２１】
しかも、足場布板の掛止用切欠部を、受け部材の突起に掛け止めることによって、主桿部の長さ方向への足場布板の位置ずれを防止できる。
【００２２】
好ましい態様として、受け部材は、主桿部の幅方向の両側に、突起を備える。この場合には、主桿部の幅方向の両側から足場布板を敷きつめ、敷きつめられた両足場布板について、主桿部の長さ方向への位置ずれを防止できる。
【００２３】
受け部材に備えられた突起のそれぞれは、貫通孔を有し、足場布板は開閉装置を有する。開閉装置は、ロック片を有し、掛止用切欠部のそれぞれに備えられている。受け部材の上に足場布板を設置した後、このロック片を、貫通孔に挿入させることによって、受け部材と足場布板とをロックする。このため、主桿部の幅方向への足場布板の位置ずれを防止できる。
【００２４】
特許文献１（特許第２７５６２３５号公報）において、受け部材は突起を有していたが、貫通孔を有しておらず、ロック片は突起の下側を通っていた。このため、ロック片と突起との間に、僅かであるが、隙間が生じ、強風等を受けたときに、僅かであるが、足場布板が揺動する可能性があった。本発明においては、この点を改良し、突起に貫通孔を設け、足場布板に備えられた開閉装置のロック片を、受け部材に備えられた突起の貫通孔内を通って貫通させることにより、足場布板の揺動量を更に小さくした。従って、使用中または強風等によって発生する足場布板の揺動、強風による足場布板の位置ずれ、足場布板同士の衝突または足場布板の吹き上り等に起因する騒音を、特許第２７５６２３５号公報に開示された技術より、一層確実に防止できる。
【００２５】
＜第２の態様に係る受け部材＞
第２の態様に係る受け部材は、主桿部と、足場布板のための掛止部とを有する。前記主桿部は、長さ方向の少なくとも一端に結合部を有する。前記掛止部は、幅方向の両側の内、少なくとも片側に備えられ、前記主桿部との間に掛止間隔を有する。
【００２６】
第２の態様に係る受け部材は、足場布板と組み合わされて足場装置を構成する。組み合わされる前記足場布板は、基体部を有する。前記基体部は、長さ方向の両側に幅方向に沿って延びる２つの側面板を有し、前記側面板が、前記間隔を通して前記掛止部に掛け止められている。
【００２７】
足場装置の組立に当たっては、受け部材を足場支柱等に取り付け、次に受け部材の上に足場布板を敷設する。ここで、上述したように、本発明に係る受け部材は、主桿部が長さ方向の少なくとも一端に結合部を有する。したがって、受け部材を、主桿部に備えられた結合部を介して、足場支柱に固定して取り付けることができる。
【００２８】
このようにして足場支柱に取り付け固定された受け部材に対して、足場布板を敷設する。受け部材は、主桿部の幅方向の両側の内、少なくとも片側に掛止部を有する。足場布板は、基体部の長さ方向の両側に幅方向に沿って延びる２つの側面板を有する。この側面板が、間隔を通して前記掛止部に掛け止められる。したがって、足場布板の敷設に当たり、受け部材の掛止部に足場布板の側面板を掛け止めてゆくだけでよい。このため、受け部材の幅方向への足場布板の位置ずれを防止できると共に、作業に習熟しない者であっても、道具を用いることなく、足場布板の敷設作業を安全、かつ、容易に行うことができる。
【００２９】
しかも、掛止部による足場布板の側面板の位置決めを解除することにより、受け部材から足場布板を取り外すことができ、足場を安全、かつ、容易に解体できる。
【００３０】
一般的には、上述した第１の態様と、第２の態様とを組み合わせた構造を有する。この組み合わせによれば、第１の態様及び第２の態様の組み合わせによる作用効果を得ることができる。
【００３１】
＜第３の態様に係る受け部材＞
第３の態様に係る受け部材は、第１の態様によって提供される前記突起と、第２の態様によって提供される前記掛止部との組み合わせを、主桿部の長さ方向に沿い、主桿部の片側において、主桿部の長さ方向に沿い複数組備える。
【００３２】
第３の態様に係る受け部材の利点は、建築物の形状、敷地の形状、または、建築物と敷地境界との間のスペース形状等のために、足場布板の幅を縮小させる必要が生じた場合や、幅の異なる足場布板を隣接して敷設する必要が生じた場合等に、複数組備えられた突起と掛止部との組み合わせの中から、足場布板の幅に対応した組み合わせを選択し、状況に応じた幅を持つ足場を作ることができることである。
【００３３】
本発明は、更に、受け部材について、全体の好ましい態様、各構成部材の好ましい態様を開示するとともに、足場布板との具体的な組み合わせ構造等を開示する。
【００３４】
本発明の他の目的、構成及び利点については、実施例である添付図面を参照し、更に詳しく説明する。図は、単に、例示に過ぎない。
【発明の効果】
【００３５】
以上説明したように、本発明によれば、次のような効果が得られる。
（ａ）特許文献１（特許第２７５６２３５号公報）に記載された受け部材を更に改良し、使用中または強風等によって発生する足場布板の揺動を、より確実に阻止できるようにした受け部材及び足場装置を提供することができる。
（ｂ）足場布板の位置ずれを確実に阻止できる受け部材及び足場装置を提供することができる。
（ｃ）強風による足場布板同士の衝突、足場布板の吹き上り等の際に発生する騒音を防止できる受け部材及び足場装置を提供することができる。
（ｄ）足場組立作業及び足場解体作業を安全、かつ、容易に実行できる受け部材及び足場装置を提供することができる。
【発明を実施するための最良の形態】
【００３６】
＜第１の態様＞
図１は本発明に係る受け部材の斜視図である。図１に示す実施例は、第１の態様及び第２の態様を含んでいる。まず、第１の態様について説明する。
【００３７】
図１に示すように、受け部材は、全体として周知の金属材料で構成され、主桿部１と、突起２１〜２４とを有する。主桿部１は、長さ方向（長手方向）の一端に結合部１１を有し、他端に結合部１２を有する。図１に示す実施例では、結合部１１、１２は、主桿部１の両端に、溶接、リベット結合、またはボルト．ナット結合等の結合手段によって固定してある。結合部１１、１２は、当該技術分野において周知のクランプによって構成することができる。したがって、ここでは、その構造についての詳細な説明は省略する。
【００３８】
突起２１、２２は、主桿部１の長さ方向の一端側において、幅方向の両側に突出して設けられ、突起２３、２４は、主桿部１の長さ方向の他端側において、幅方向の両側に突出して設けられる。第１の態様の特徴は、突起２１〜２４のそれぞれが、貫通孔２１０〜２４０を有することである。実施例では、貫通孔２１０〜２４０のそれぞれは、突起２１〜２４において、主桿部１の長さ方向に貫通して設けられている。
【００３９】
主桿部１は、少なくとも上面１３が平面状であることが望ましい。図１に示す実施例では、主桿部１は、断面外形が四角形である。但し、それ以外の形状、例えば三角形、五角形等もあり得る。
【００４０】
＜第２の態様＞
次に第２の態様について説明する。第２の態様の特徴は、主桿部１が、掛止部３１、３２を有することである。掛止部３１、３２は、主桿部１の長さ方向の中間部において、幅方向の両側に備えられ、主桿部１との間に掛止間隔Ｄを有する。
【００４１】
図１に示す実施例では、掛止部３１は、主桿部１の側面１４から幅方向に延び、主桿部１の上面１３側に向かって折り曲げられ、その折り曲げられた先端部と主桿部１の側面１４との間に掛止間隔Ｄを有する。掛止部３２は、主桿部１の側面１５から幅方向に延び、主桿部１の上面１３側に向かって折り曲げられ、その折り曲げられた先端部と主桿部１の側面１５との間に掛止間隔Ｄ（図示しない）を有する。
【００４２】
本実施例では、主桿部１は、長さ方向の両端側において、幅方向の両側に突起２１〜２４を有し、長さ方向の中間部において、幅方向の両側に掛止部３１、３２を有する。突起２１〜２４及び掛止部３１、３２の数、形状及び設置箇所等については、足場布板における掛止用切欠部の設置数及び設置位置等に応じて自在に変更できる。
【００４３】
＜その他の構成部分＞
図１に示した受け部材は、更に、補強部材１６を有する。補強部材１６は主桿部１の長さ方向の両端側の２カ所に固定して設けられ、斜め下方に傾斜し、先端部に支柱受け部１６１を有する。支柱受け部１６１は、後で説明するように、パイプで構成される足場支柱（建地材）の外周面に当接して支持される。図示はされていないが、補強部材１６の先端部は、結合部１１、１２において用いられたクランプであってもよい。
【００４４】
＜足場布板について＞
図２は本発明に係る受け部材と組み合わされる足場布板を示す斜視図、図３は同じくその部分欠損平面図である。このような足場布板は、特開平８ー８６０８７号公報に開示されている。
【００４５】
図示された足場布板は、基体部４０と、開閉装置４１とを有する。基体部４０は、長さ方向Ｘの両側に幅方向Ｙに沿って延びる２つの側面板４２、４３を有し、幅方向Ｙの両側に、長さ方向Ｘに沿って延びる２つの側面板４４、４５を有する。側面板４２は掛止用切欠部４２１、４２２を有する。側面板４３は掛止用切欠部４３１、４３２を有する。掛止用切欠部４２１、４２２は、側面板４２の下端縁側で開口している。掛止用切欠部４３１、４３２は、側面板４３の下端縁側で開口している。側面板４４、４５は、長さ方向Ｘの中間部において、補強部材４０５によって結合されている。実施例では、補強部材４０５の数は４つであるが、その数については、任意に設定できる。
【００４６】
開閉装置４１は、掛止用切欠部４２１、４２２、４３１、４３２のそれぞれに備えられている。図示された開閉装置４１は閂装置である。
【００４７】
足場布板は、全体が周知の金属材料、例えば金属薄板の折り曲げ、打ち抜きまたはプレス加工を経て製造されたもの、または、角パイプもしくは丸パイプを組み合わせて構成されたフレ−ムの上に、金属板が配置されたもの等、種々のものを用いることができる。
【００４８】
足場布板は、側面板４２、４３のそれぞれが、基体部４０の長さ方向Ｘの両端部４０１、４０２より内側に後退した位置に配置され、基体部４０の端部４０１と側面板４２との間に突出部４２０を有し、基体部４０の端部４０２と側面板４３との間に突出部４３０を有する。
【００４９】
幅方向Ｙの両側に位置する側面板４４、４５のそれぞれは、基体部４０の幅方向Ｙの両端部４０３、４０４よりも、内側に後退した位置に配置されていてもよいし、同一位置に配置されていてもよい。
【００５０】
基体部４０は、厚み方向Ｚの上面側に踏み面部４００を有する。踏み面部４００は、平面内に多数の孔を開口させた網目構造を有する。図示はされていないが、踏み面部４００は、金属板の表面に多数の微小凹凸を付したものや、金属板の表面に多数の穴を開けたであってもよい。
【００５１】
図４は掛止用切欠部４２２に備えられた開閉装置４１の構造を示している。他の掛止用切欠部４２１、４３１、４３２に備えられた開閉装置４１の構造については、説明を省略する。開閉装置４１は、支持腕４１１、４１２、ロック片４１３、突出片４１４、ストッパ４１５及び支持腕４１６を備える。支持腕４１１、４１２は、側面板４２において、掛止用切欠部４２２の両側に、例えば溶接、リベット結合、またはボルト．ナット結合等の手段によって固定されている。支持腕４１６も支持腕４１１、４１２から適当な間隔をおいて、側面板４２に溶接、リベット結合、またはボルト．ナット結合等の手段によって固定されている。
【００５２】
ロック片４１３は、矢印ｂ１またはｂ２方向に直線的に移動でき、矢印ａ１、ａ２の方向に回転できるように、支持腕４１１、４１２、４１６によって支持されている。突出片４１４は、ロック片４１３に設けられ、側面板４２に突設されたストッパ４１５によって動きが制限される。ロック片４１３の動きについては、後で詳しく説明する。
【００５３】
開閉装置４１は、基本的には、受け部材と足場布板とをロックできればよいので、そのような動きを有するロック片を備える他の構造であってもよい。
【００５４】
図５は図４とは異なる構造を有する開閉装置を示す図である。図において、図４に示された構成部分と同一の構成部分には、同一の参照符号を付し、説明を省略する。図５に示した実施例の特徴は、ロック片４１３がバネ４１７を備えることである。バネ４１７は、突出片４１４と支持腕４１６との間に配置されており、バネ４１７の圧縮バネ圧をロック片４１３に与える。
【００５５】
＜足場装置について：受け部材と足場布板との組み合わせ＞
図６は本発明に係る足場装置を示す斜視図、図７は図６に示した足場装置の部分欠損平面図である。本発明に係る足場装置は、受け部材５と、足場布板７１、７２とを含む。
【００５６】
図６に示した足場装置において、受け部材５としては、図１に示した受け部材が用いられている。足場布板７１、７２としては、図２〜図５に示した足場布板が用いられている。図６では、２枚の足場布板７１、７２が示されているだけであるが、建築物（図示しない）の周りに、必要な枚数だけ備えられることは言うまでもない。
【００５７】
図６、７に図示された足場装置の組立に当たっては、受け部材５を足場支柱（建地材）６に取り付け、次に受け部材５の上に足場布板７１、７２を敷設する。ここで、上述したように、受け部材５は、主桿部１が長さ方向の両端に、クランプでなる結合部１１、１２を有する。したがって、主桿部１の両端に備えられた結合部１１、１２を足場支柱６に固定して取り付けることができる。このようにして足場支柱６に取り付け固定された受け部材５に対して、足場布板７１、７２を敷設する。
【００５８】
ここで、受け部材５は、主桿部１の長さ方向の一端側において、幅方向の両側に突出する突起２１、２２を有し、主桿部１の長さ方向の他端側において、幅方向の両側に突出する突起２３、２４を有する。
【００５９】
一方、足場布板７１、７２は、図２〜図５に示したように、基体部４０の長さ方向Ｘの両側に幅方向Ｙに沿って延びる２つの側面板４２、４３を有する。側面板４２は掛止用切欠部４２１、４２２を有し、側面板４３は掛止用切欠部４３１、４３２を有する。掛止用切欠部４２１、４２２は、側面板４２の下端縁側で開口しており、掛止用切欠部４３１、４３２は、側面板４３の下端縁側で開口している。
【００６０】
したがって、足場布板７１、７２の敷設に当たり、受け部材５の突起２１〜２４のそれぞれに、足場布板７１、７２の掛止用切欠部４２１〜４３２を掛け止めてゆくだけでよい。このため、作業に習熟しない者であっても、道具を用いることなく、足場布板７１、７２の敷設作業を簡単、かつ、迅速に行うことができる。
【００６１】
しかも、足場布板７１の掛止用切欠部４３１は突起２１に、掛止用切欠部４３２は突起２３に掛け止められ、足場布板７２の掛止用切欠部４２１は突起２２に、掛止用切欠部４２２は突起２２、２４に掛け止められている。したがって、受け部材５の長さ方向への足場布板７１、７２の位置ずれを防止できる。
【００６２】
更に、突起２１〜２４は、主桿部１の幅方向の両側に設けられているから、受け部材５の両側から足場布板７１、７２を敷きつめ、敷きつめられた両足場布板７１ー７２について、受け部材５の長さ方向（長手方向）への位置ずれを防止できる。
【００６３】
開閉装置４１のロック片４１３は、貫通孔２１０〜２４０（図１参照）を出入りすることによって、受け部材５と足場布板７１、７２とをロックし、または受け部材５と足場布板７１、７２とのロックを解除する。
【００６４】
次に、足場布板７１の掛止用切欠部４２２に備えられた開閉装置４１の作用について、図８及び図９を参照しながら、更に詳しく説明する。他の掛止用切欠部４２１、４３１、４３２に備えられた開閉装置４１の作用、及び、足場布板７２における開閉装置４１については、説明を省略する。
【００６５】
図８は足場布板７１の掛止用切欠部４２２に備えられた開閉装置４１の閉位置を示しており、突出片４１４は、ストッパ４１５と支持腕４１２とに挟まれた状態となり、突起２４は、開閉装置４１のロック片４１３によってロックされた状態になる。ロック片４１３は、先端部が支持腕４１１によって支持されている。図８の状態では、ロック片４１３が、貫通孔２４０内を貫通しており、それによって、受け部材５と足場布板７１とがロックされている。
【００６６】
このため、図６及び図７の使用状態において、強風等によって発生する足場布板の揺動を確実に阻止できると共に、受け部材５の幅方向への足場布板７１、７２の位置ずれも防止できる。また、強風による足場布板７１、７２の位置ずれ、足場布板７１、７２同士の衝突または足場布板７１、７２の吹き上り等に起因する騒音を、ほぼ確実に防止できる。
【００６７】
実施例において、開閉装置４１は、図４、５、８及び９に詳細に示すように、閂装置で構成されている。このような開閉装置４１は構造が簡単で操作が容易であり、しかも、鍵としての安全性及び信頼性が高いから、足場布板敷設作業の容易性、迅速性、信頼性及び安全性が確保される。
【００６８】
図８の状態から、ロック片４１３を矢印ａ１の方向に回転させ、矢印ｂ１の方向に移動させることにより、突出片４１４を、ストッパ４１５のある位置より後方の位置まで移動させる。
【００６９】
この後、図９に示すように、ロック片４１３は矢印ａ２の方向に回転させる。これによって、突起２４の貫通孔２４０が、開閉装置４１のロック片４１３によるロックから解除された状態となる。ロック片４１３によって突起２４をロックするには、上述した工程を逆に実行すればよい。
【００７０】
以上は、図４に図示された開閉装置４１を用いた場合の動作説明である。図５に図示した開閉装置４１を用いた場合は、図９に対応するロック解除状態では、図１０に示すように、バネ４１７が突起４１４と支持腕４１６との間で圧縮され、突起４１４がバネ圧によってストッパ４１５に押し付けられている。図１０の状態から、ロック辺４１３を矢印ａ１の方向に回転させると、突起４１４がストッパ４１５から外れるので、ロック片４１３の全体が、バネ４１７のバネ圧を受けて矢印ｂ２の方向に移動し、突起２４の貫通孔２４０内に入り、ロック状態（図５参照）になる。
【００７１】
再び、図１を参照し、図１に含まれる第２の態様について説明する。図示された受け部材５は、主桿部１が、長さ方向の中間部において、幅方向の両側のそれぞれに掛止部３１、３２を有する。図１１は図７の１１−１１線に沿った拡大断面図である。
【００７２】
図７及び図１１に示すように、側面板４３は、掛止部３１と主桿部１の側面１４との隙間内に掛け止められ、側面板４２は、掛止部３２と主桿部１の側面１５との隙間内に掛け止められている。この構造によれば、受け部材５と足場布板７１または７２との間に、開閉装置４１によるロックが働いていなくても、足場布板７１、７２は、受け部材５に対して仮り止めされた状態となる。このため、受け部材５の幅方向への足場布板７１、７２の位置ずれを防止できると共に、作業に習熟しない者であっても、道具を用いることなく、足場布板の敷設作業を安全、かつ、容易に実行できる。しかも、受け部材５から足場布板７１、７２を取り外すことができ、足場を安全、かつ、容易に解体できる。
【００７３】
図１１に示す実施例では、主桿部１は、断面外形が四角形であって、上面１３が平面状である。足場布板７１、７２は、側面板４２、４３のそれぞれが、基体部４０の長さ方向（主桿部１の幅方向）の端部４０１、４０２よりも内側に後退した位置に配置され、基体部４０の端部４０１と側面板４２との間に突出部４２０を有し、基体部４０の端部４０２と側面板４３との間に突出部４３０を有する。足場布板７１、７２は、突出部４２０、４３０が主桿部１の上面１３に配置されている。このため、足場布板７１−７２相互間に実質的に隙間を生じさせない安全性の高い足場を構成することができる。
【００７４】
図１２は足場布板の別の実施例を示す部分欠損平面図、図１３は図１２に示した足場布板の正面図、図１４は図１２に示した足場布板の切欠部を示す部分拡大平面図である。図１２〜図１４に示した実施例の特徴は、基体部４０が、受け部材５の結合部１１、１２に対応する箇所、一般には、隅部に、切欠部４６〜４９を有することである。
【００７５】
実施例において、切欠部４６〜４９は、長さ方向に延びる１辺と、幅方向に延びる１辺とを有する角形状である。例えば、切欠部４６を例に挙げると、切欠部４６は、図１４に示すように、長さ方向Ｘに延びる辺４６１と、幅方向Ｙに延びる辺４６２とを有する。辺４６１の長さ寸法Ｘ１および辺４６２の長さ寸法Ｙ１は、建地材の半径と、建地材に取り付けられたクランプ等の結合部が、建地材から突出する寸法とを加えた寸法よりも少し大きい寸法を有する。他の切欠部４７〜４９についても同様である。図示はしないが、切欠部４６〜４９は、例えば、円弧等であってもよい。
【００７６】
図１５は図１２〜図１４に示した足場布板を用いた足場装置を示す斜視図である。足場布板７１、７２は、基体部４０が、受け部材５の結合部１１、１２に対応する箇所に、切り欠き部４６、４７、４８、４９を有するから、切欠部４６、４９が結合部１２に対する逃げ部として機能し、切欠部４７、４８が結合部１１に対する逃げ部として機能する。したがって、足場布板７１、７２の踏み面板４００を、結合部１１、１２による制限を受けずに、幅方向（主桿部１の長さ方向）に拡大できる。作業員は、この拡大された幅を持つ足場布板７１、７２を歩行することができる。このため、足場布板７１、７２を歩行する作業員の安全性が向上する。
【００７７】
しかも、足場布板７１ー７２相互間の隙間を最小にすることができるので、作業用工具や小物部品の落下、それによる作業員の負傷を未然に防止できる。
【００７８】
＜他の実施例＞
図１６は本発明に係る受け部材の別の実施例を示す斜視図である。図１に示された構成部分と同一の構成部分には、同一の参照符号を付し、説明は省略する。図１６に示された実施例の特徴は、結合部１１、１２がクサビ状となっていることである。図示はされていないが、補強部材１６の先端部は、図１に示された受け部材の結合部１１、１２において用いられたクランプであってもよい。
【００７９】
図１７は図１６に示した受け部材を用いた足場装置を示す斜視図である。図１６に示された受け部材は、主桿部１が長さ方向の両端にクサビ状の結合部１１、１２を有する。したがって、主桿部１の両端に備えられたクサビ状の結合部１１、１２を足場支柱６に設けられた接続桿６１〜６４の何れかに打ち込んで固定して取り付けることができる。足場布板７１、７２としては、図２〜図５に示した足場布板、及び、図１２〜図１４に示した足場布板を用いることができる。
【００８０】
図１８は本発明に係る受け部材の更に別の実施例を示す斜視図である。図１に示された構成部分と同一の構成部分には、同一の参照符号を付し、説明は省略する。図１８に示された実施例の特徴は、結合部１１、１２のそれぞれが、パイプ接続機構１０を有することである。パイプ接続機構１０としては、特開平８ー８６０８７号公報に開示されたものを採用することができる。
【００８１】
図１９は図１８に示した受け部材に用いられているパイプ接続機構１０の断面図である。パイプ接続機構１０は、可動ピン１０１と、バネ１０２とを含む。可動ピン１０１は、両端が間隔を隔てて同一方向に折り曲げられ、差込部１０３に設けられた孔１０４〜１０６を通して、差込部１０３の内部に出し入れ自在に導入される。バネ１０２は、可動ピン１０１の一端側に装着され、可動ピン１０１に引張りバネ圧を加える。バネ１０２の一端側は、可動ピン１０１と一体化された受け板１０７によって受けられている。可動ピン１０１をバネ１０２のバネ圧に抗して矢印Ｂ１の方向に押し出した後、矢印ａ３の如く回転させることにより、可動ピン１０１の先端部を、孔１０５から外すことができる。固定部１０８は主桿部１に例えば溶接、リベット結合、またはボルト．ナット結合等の手段によって接続固定される。このパイプ接続機構１０は、結合部１２にも備えられている。
【００８２】
図２０は図１８に示した受け部材を用いた足場装置の斜視図である。受け部材５を足場支柱６に接続するに当たっては、結合部１１、１２を構成するパイプ接続機構１０の差込部１０３を、足場支柱６に設けられた接続桿６１〜６４の何れかに挿入する。そして、接続桿部６１〜６４に設けられた孔６１０〜６４０を通して、可動ピン１０１を接続桿部６１〜６４の何れかの内部に挿入し、それによって受け部材５を足場支柱６に固定する。
【００８３】
図２１は図２０に示した足場装置において、受け部材５を足場支柱６に取り付けた時の状態を示す断面図である。図示するように、足場支柱６に設けられた接続管部６１に、パイプ接続機構１０を構成する差し込み部１０３が挿入されている。パイプ接続機構１０の可動ピン１０１の先端部が、接続管部６１に設けられた孔６１０を貫通して、差し込み部１０３の孔１０５に挿入されている。これにより、足場支柱６の接続管部６１０と、差し込み部１０３とが連結される。
【００８４】
連結を解くには、図１９において、可動ピン１０１をバネ１０２のバネ圧に抗して矢印Ｂ１の方向に押し出した後、矢印ａ３の如く回転させるればよい。
【００８５】
このパイプ接続機構１０の利点は、作業に習熟しない者であっても、道具を用いることなく、足場支柱６に対する受け部材５の接続及び固定作業を、極めて容易に、かつ、迅速に実行できることである。
【００８６】
＜第３の態様について＞
図２２は第３の態様に係る受け部材の斜視図である。図において、既に示した図面に現れた構成部分と同一の構成部分については、同一の参照符号を付してある。第３の態様に係る受け部材は、第１の態様によって提供される突起２１〜２８と、第２の態様によって提供される掛止部３１〜３４との組み合わせを、少なくとも、主桿部１の幅方向の片側１４において、主桿部１の長さ方向に沿い複数組備えられている。図２２に示す実施例では、主桿部１の幅方向の片側１４に、突起２１、２３と掛止部３１との組み合わせ、及び、突起２５、２７と掛止部３３との組み合わせを含んでいる。更に、主桿部１の幅方向の反対側に、突起２２、２４と掛止部３２との組み合わせ、及び、突起２６、２８と掛止部３４との組み合わせを含んでいる。
【００８７】
この第３の態様に係る受け部材の利点は、建築物の形状、敷地の形状、または、建築物と敷地境界との間のスペース形状等のために、足場布板の幅を縮小させる必要が生じた場合や、幅の異なる足場布板を隣接して敷設する必要が生じた場合等に、複数組備えられた突起と掛止部との組み合わせの中から、足場布板の幅に対応した組み合わせを選択し、状況に応じた幅を持つ足場を作ることができる点にある。次にこの点について説明する。
【００８８】
図２３は図２２に示した受け部材と、図１２〜図１４に示した足場布板とを組み合わせた足場装置の平面図、図２４は図２３に示した足場装置の拡大斜視図である。図示は省略するが、足場布板としては、図２〜図５に示した構造のものも用い得ることは言うまでもない。
【００８９】
図２３、２４を参照すると、建築物８の一部に、例えば、出窓等の突出部８１を有しており、この突出部８１が足場布板敷設領域内に突出している。そこで、突出部８１の食い込む足場布板敷設領域では、その両側に敷設された足場布板７１、７３よりも幅の狭い足場布板７２を用いる。実施例において、足場布板７２は、足場布板７１、７３の約１／２の幅を有しており、建築物８の突出部８１との間に、必要な間隔ｇ１２が確保されている。この間隔ｇ１２は、足場布板７１、７３と建築物８との間に生じる間隔ｇ１１とほぼ等しい。
【００９０】
足場布板７２は、突起２５、２７及び掛止部３３（図２２参照）によって、受け部材５に取り付けられている。足場布板７２は、突起２５、２７及び掛止部３３（図２２参照）によって、受け部材５に取り付けられている。足場布板７２は開閉装置４１（図４、５等参照）を含み、開閉装置４１と突起部２５、２７との間にロック機構が構成されることは既に述べた通りである。また、足場布板７２の側面板が掛止部３３に掛け止められることも、既に述べた通りである。
【００９１】
このように、建築物８が、例えば、出窓等の突出部８１を有する場合、突出部８１に対応する箇所で、足場布板７２の幅を縮小させ、状況に応じた幅を持つ足場を作ることができる。
【００９２】
図２５は図２２に示した受け部材と図１２〜図１４に示した足場布板とを組み合わせた足場装置の拡大斜視図である。実施例において、足場布板７２は、足場布板７３の約１／３〜１／５程度の幅を有し、突起２７及び掛止部３３（図２２参照）によって、受け部材５に取り付けられている。この例の場合は、図２３、２４の場合よりも更に狭幅の足場を作ることができる。したがって、建築物の突出部が図２３、２４の場合より大きな場合にも対応することができる。
【００９３】
図２６は第３の態様に係る受け部材の他の実施例を示す平面図、図２７は図２６に示した受け部材の正面図である。この実施例の特徴は、結合部材９を有すること、２つの主桿部１００、１１０を含んでいること、主桿部１００、１１０のそれぞれの一端が、結合部材９に連結されていることである。
【００９４】
主桿部１００、１１０のそれぞれは、互いにほぼ一直線に配置されている。また、主桿部１００、１１０のそれぞれは、主桿部１の幅方向の片側に、突起２１、２３と掛止部３１との組み合わせ、及び、突起２５、２７と掛止部３３との組み合わせを含み、幅方向の反対側に、突起２２、２４と掛止部３２との組み合わせ、及び、突起２６、２８と掛止部３４との組み合わせを含んでいる。したがって、図２６、２７の実施例によれば、より広範囲の足場幅調整が可能である。主桿部１００、１１０のそれぞれは支柱受け部１６１、補強部材１６等を有する。主桿部１００、結合部１１、１２、補強部材１６及び結合部材９等の各構成部材の相互固定手段としては、溶接、リベット結合、または、ボルト．ナット結合等の手段等を用いることができる。図示はしないが、図２６及び図２７に示した構造は、これまで説明した受け部材のうち、クランプでなる結合部を有するものであれば適用できる。結合部１１、１２としては、図１６及び図１７に示したくさび形、及び、図１８〜図２１に示した接続ピン形のものも用いることができる。支柱受け部１６１としては、図１、図１６、図１８または図２２等に開示した構造のものを用いることができる。
【００９５】
図２６、２７に示す実施例において、パイプ用の結合部材９は、支持体９１と、蓋部９２と、締め金具９３とを含む。支持体９１は、第１の面板９１１と、第２の面板９１２と、第３の面板９１３とを有する。第１の面板９１１および第３の面板９１３は互いに対向し、第２の面板９１２は第１の面板９１１および第３の面板９１３のそれぞれの一端に連続している。蓋部９２は、第２の面板９１２と対向し、その一端が第１の面板９１１の他端に軸回転できるように軸止めされている。第１の面板９１１、第２の面板９１２および第３の面板９１３の内、第１の面板９１１および第３の面板９１３の少なくとも２つは、外面に平面領域を有する。主桿部１００は、一端が第１の面板９１１の平面領域に取り付けられ、主桿部１１０は、一端が第３の面板９１３の平面領域に取り付けられている。このような結合部材９によれば、主桿部１００、１１０を、大きな接合面積と、それによる大きな機械的接続強度を確保して、結合部材９に接続固定することができる。
【００９６】
締め金具９３は、その一端が第３の面板９１３の他端側に軸回転できるように軸止めされ、第３の面板９１３の他端と、蓋部９２の他端とを結合する。
【００９７】
足場装置の組立に当たっては、結合部１１、１２、及び、結合部材９を、建地材等の足場支柱に結合する。そして、主桿部１００、１１０の上に足場布板を敷設する。足場布板としては、図２３、２４を参照して説明したように、建築物形状、または、建築物と敷地境界との間のスペース形状等に適合した幅を持つ足場布板を選択的に用いることができる。
【００９８】
図２８は図２６、２７に示した受け部材を用いた足場装置の一部を示す平面図である。受け部材５１は、結合部１１が足場支柱６１１に接続固定され、結合部１２が足場支柱６３１に接続固定され、結合部１１と結合部１２との中間にある結合部材９が足場支柱６２１に接続固定されている。受け部材５２は、受け部材５１から、長さ方向Ｘに間隔を隔てて配置され、結合部１１が足場支柱６１２に接続固定され、結合部１２が足場支柱６３２に接続固定され、結合部１１と結合部１２との中間にある結合部材９が足場支柱６２２に接続固定されている。
【００９９】
受け部材５１には、足場布板７１１、７１２の一端と、足場布板７２１、７２２の一端が掛け止められている。足場布板７２１、７２２の他端は、受け部材５２に掛け止められている。更に、足場布板７３１、７３２の一端が、受け部材５２に掛け止められている。
【０１００】
足場布板７１１〜７３２の内、足場布板７１１と足場布板７１２、足場布板７２１と足場布板７２２、及び、足場布板７３１と足場布板７３２は、それぞれ、対となって、幅方向Ｙに並べて配置されている。作業員は、この拡大された幅を持つ足場布板を歩行することができる。このため、足場布板を歩行する作業員の安全性が向上する。
【０１０１】
足場布板（７１１、７１２）、（７２１、７２２）及び（７３１、７３２）としては、図１２〜図１４に示した構造のものが用いられている。したがって、足場布板（７１１、７１２）、（７２１、７２２）及び（７３１、７３２）は、図８〜図１１に示した開閉機構、及び、掛止機構によって、受け部材５１、５２に接続固定される。
【０１０２】
しかも、足場布板７１１〜７３２のそれぞれは、足場支柱６１１〜６３２に対応する箇所に、それぞれ切り欠き部４６〜４９を有するから、切り欠き部４６〜４９が足場支柱６１１〜６３２に対する逃げ部として機能する。
【０１０３】
したがって、足場支柱６１１〜６３２による制限を受けることなく、足場布板７１１と足場布板７１２、足場布板７２１と足場布板７２２、及び、足場布板７３１と足場布板７３２は、それぞれ、互いにを密着するように配置し、足場布板間に発生する幅方向Ｙの隙間寸法を、最小にすることができる。
【０１０４】
長さ方向Ｘにおいても、足場布板７１１、７２１、７３１を順次に密着して配置し、足場布板７１２、７２２、７３２を順次に密着して配置することができる。
【０１０５】
したがって、幅方向Ｙ及び長さ方向Ｘの何れの方向においても、足場布板７１１〜７３２の相互間に発生する隙間を最小にすることができる。このため、足場布板７１１〜７３２の相互間の隙間に起因する作業用工具や小物部品の落下、それによる作業員の負傷を未然に防止することができる。
【０１０６】
図示は省略するが、図２６、２７に示す受け部材も、図２３〜２５に示した足場布板組み合わせ構造を採用できることは、いうまでもない。
【０１０７】
図２９は第３の態様に係る受け部材の他の実施例を示す正面図である。この実施例では、クランプでなる結合部１１が、主桿部１の上面１３から△Ｇ１だけ低下した位置に備えられている。主桿部１の一端側には、取り付け部材１６０の一端が固定され、取り付け部材１６０の他端には、補強部材１６の一端が固定されている。結合部１１は、金属板でなるスペーサ１６２を介して取り付け部材１６０に固定されている。支柱受け部１６１も、金属板でなるスペーサ１６３を介して取り付け部材１６０に固定されている。主桿部１、取り付け部材１６０、補強部材１６及びスペーサ１６２、１６３等の各構成部材の相互固定手段としては、溶接、リベット結合、または、ボルト．ナット結合等の手段等を用いることができる。
【０１０８】
図示はしないが、図２９に示した構造は、これまで説明した受け部材の内、クランプでなる結合部を有するものであれば適用できる。支柱受け部１６１としては、図１、図１６、図１８または図２２等に開示した構造のものを用いることができる。
【０１０９】
図３０は図２９に示した受け部材を用いた足場装置を示す図である。図示するように、図２９に示した受け部材５２を、図２２に示したような受け部材５１と組み合わせて用いることにより、受け部材５２の主桿部１の表面位置を、受け部材５１の主桿部１の表面位置とほぼ一致させた足場布板受け面を構成できる。組み立てに当たっては、受け部材５２の結合部１１、１２を足場支柱６２１、６３１にそれぞれ接続固定し、更に、支柱受け部材１６１を足場支柱６２１に接続固定する。次に、受け部材５１の結合部１１、１２を足場支柱６１１、６２１にそれぞれ接続固定し、支柱受け部材１６１を足場支柱６１１に接続固定する。
【０１１０】
受け部材５２において、結合部１１が、スペーサ１６２を介して、取り付け部材１６０に固定されているので、受け部材５１の結合部１２を、足場支柱６２１に接続固定した場合、受け部材５１の結合部１２と取り付け部材１６０との間に、スペーサ１６２の厚み分の間隔が生じる。したがって、受け部材５１を、足場支柱６２１に対して、スムーズに接続固定することができる。
【０１１１】
図において、受け部材５２の結合部１２が足場支柱６３１に接続されているが、足場支柱６３１は、必ずしも必要ではなく、省略されることが多い。
【０１１２】
図３１は図２９に示した受け部材を用いた足場装置を示す図である。図３１に示した実施例では、図２９に示した受け部材５２と、図１に示したような受け部材５１とが組み合わされている。
【０１１３】
図３２は第３の態様に係る受け部材の更に別の実施例を示す正面図である。図において、図２９に示された構成部分と、同一の構成部分については、同一の参照符号を付してある。この実施例においても、クランプでなる結合部１１が、主桿部１の上面１３から△Ｇ１だけ低下した位置に備えられている。
【０１１４】
図３２に示した実施例と図２９に示した実施例との違いは、主桿部１の長さが、図２９に示した実施例の主桿部１の長さの約１／２である点と、図２９に示した実施例が突起と掛止部の組み合わせを２つ有するのに対し、図３２に示した実施例が突起と掛止部の組み合わせを１つだけ有する点である。
【０１１５】
図３３は図３２に示した受け部材を用いた足場装置を示す図である。図３３に示した実施例では、図３２に示した受け部材５２と、図２２に示した受け部材５１とが組み合わされている。
【０１１６】
図３４は図３２に示した受け部材を用いた別の足場装置を示す図である。図３４に示した実施例では、図３２に示した受け部材５２と、図１に示したような受け部材５１とが組み合わされている。
【０１１７】
ここで、詳細な説明は省略するけれども、図２９及び図３２に示した受け部材のそれぞれは、図３０、図３１、図３３及び図３４に示した例の他、例えば、図２６、図２７に示した受け部材等とも組み合わせることができ、多様な組み合わせが存在する。どのように組み合わせるかは、状況に応じて決めればよい。
【０１１８】
図３５は第３の態様を含む受け部材の実施例を示す斜視図である。この実施例の特徴は、結合部材９を有すること、２つの主桿部１００、１１０を含んでいること、主桿部１００、１１０のそれぞれは、直交する方向に配置されていること等である。この実施例に係る受け部材は、足場装置のコーナ部において、直交する方向に敷設される足場布板を受けるのに用いられる。
【０１１９】
また、主桿部１００、１１０のそれぞれは、主桿部１の幅方向の片側に、突起２１、２３と掛止部３１との組み合わせ、及び、突起２５、２７と掛止部３３との組み合わせを含んでいる。更に、主桿部１００、１１０の幅方向の反対側に、突起２２、２４と掛止部３２との組み合わせ、及び、突起２６、２８と掛止部３４との組み合わせを含んでいる。したがって、図３５の実施例によれば、足場装置のコーナ部において、足場布板の幅を広範囲で調整することができる。
【０１２０】
図３６は第３の態様に係る受け部材の更に別の実施例を示す斜視図である。図において、図３５に図示された構成部分と、同一の構成部分については、同一の参照符号を付してある。図３６に示した実施例において、主桿部１００は、外側に、突起２１、２３と掛止部３１との組み合わせ、及び、突起２５、２７と掛止部３３との組み合わせを含み、更に、主桿部１００の内側に、突起２２、２４と掛止部３２との組み合わせ、及び、突起２６、２８と掛止部３４との組み合わせを含んでいる。この点は、図３５に示した実施例と同じである。
【０１２１】
図３６に示す実施例において、図３５の実施例と異なる点は、主桿部１１０が、外側に突起２５、２７と掛止部３３との組み合わせ、及び、内側に突起２６、２８と掛止部３４との組み合わせを有する点だけである。
【０１２２】
図示はしないが、図３５、３６に示す主桿部１００、１１０の直交配置は、突起と掛止部の組み合わせを１つだけ有する場合（図１等参照）にも適用できる。また、図２２〜３１において、主桿部の幅方向の両側の間で、突起と掛止部との組み合わせ数を変えてもよいし、２つ備えられる主桿部の長さを異ならせてもよい。
【０１２３】
更に、詳細な説明は省略するけれども、図面に図示し、または、図示せずに明細書中で述べた各実施例の他、これらの実施例の多様な組み合わせが存在することは言うまでもない。
【図面の簡単な説明】
【０１２４】
【図１】本発明に係る受け部材の斜視図である。
【図２】本発明に係る受け部材と組み合わされる足場布板を示す斜視図である。
【図３】図２に示した足場布板の部分欠損平面図である。
【図４】図３に示した足場布板の開閉装置の構造を説明する図である。
【図５】図４とは異なる構造を有する開閉装置を示す図である。
【図６】本発明に係る足場装置を示す斜視図である。
【図７】図６に示した足場装置の部分欠損平面図である。
【図８】開閉装置の作用を説明する図である。
【図９】開閉装置の作用を説明する図である。
【図１０】開閉装置の作用を説明する図である。
【図１１】図７の１１‐１１線に沿った拡大断面図である。
【図１２】図２に示した足場布板の別の実施例を示す部分欠損平面図である。
【図１３】図１２に示した足場布板の正面図である。
【図１４】図１２に示した足場布板の切欠部を示す部分拡大平面図である。
【図１５】図１２に示した足場布板を用いた足場装置を示す斜視図である。
【図１６】本発明に係る受け部材の別の実施例を示す斜視図である。
【図１７】図１６に示した受け部材を用いた足場装置を示す斜視図である。
【図１８】本発明に係る受け部材の更に別の実施例を示す斜視図である。
【図１９】図１８に示した受け部材に用いられている接続機構の断面図である。
【図２０】図１８に示した受け部材を用いた足場装置を示す斜視図である。
【図２１】本発明に係る受け部材を足場支柱に取り付けた時の接続機構の状態を示す断面図である。
【図２２】本発明に係る受け部材の更に別の実施例を示す斜視図である。
【図２３】図２２に示した受け部材を用いた足場装置を示す部分拡大平面図である。
【図２４】図２３に示した足場装置の一部を部分的に拡大して示す斜視図である。
【図２５】足場装置の別の例を示す部分拡大斜視図である。
【図２６】本発明に係る受け部材の更に別の実施例を示す平面図である。
【図２７】図２６に示した受け部材の正面図である。
【図２８】図２６、図２７に示した受け部材を用いた足場装置の一例を示す平面図である。
【図２９】本発明に係る受け部材の更に別の実施例を示す正面図である。
【図３０】図２９に示した受け部材の使用状態を説明する図である。
【図３１】図２９に示した受け部材の別の使用状態を説明する図である。
【図３２】本発明に係る受け部材の更に別の実施例を示す正面図である。
【図３３】図３２に示した受け部材の使用状態を説明する図である。
【図３４】図３２に示した受け部材の別の使用状態を説明する図である。
【図３５】本発明に係る受け部材の更に別の実施例を示す平面図である。
【図３６】本発明に係る受け部材の更に別の実施例を示す平面図である。
【符号の説明】
【０１２５】
１、１００、１１０  主桿部
１１、１２          結合部
２１〜２８          突起
２１０〜２８０      貫通孔
３１〜３４          掛止部
４                  足場布板
４０                基体部
４１                開閉装置
４２、４３          側面板
５、５１、５２      受け部材
【図１】
2007162464.tif 000003
【図２】
2007162464.tif 000004
【図３】
2007162464.tif 000005
【図４】
2007162464.tif 000006
【図５】
2007162464.tif 000007
【図６】
2007162464.tif 000008
【図７】
2007162464.tif 000009
【図８】
2007162464.tif 000010
【図９】
2007162464.tif 000011
【図１０】
2007162464.tif 000012
【図１１】
2007162464.tif 000013
【図１２】
2007162464.tif 000014
【図１３】
2007162464.tif 000015
【図１４】
2007162464.tif 000016
【図１５】
2007162464.tif 000017
【図１６】
2007162464.tif 000018
【図１７】
2007162464.tif 000019
【図１８】
2007162464.tif 000020
【図１９】
2007162464.tif 000021
【図２０】
2007162464.tif 000022
【図２１】
2007162464.tif 000023
【図２２】
2007162464.tif 000024
【図２３】
2007162464.tif 000025
【図２４】
2007162464.tif 000026
【図２５】
2007162464.tif 000027
【図２６】
2007162464.tif 000028
【図２７】
2007162464.tif 000029
【図２８】
2007162464.tif 000030
【図２９】
2007162464.tif 000031
【図３０】
2007162464.tif 000032
【図３１】
2007162464.tif 000033
【図３２】
2007162464.tif 000034
【図３３】
2007162464.tif 000035
【図３４】
2007162464.tif 000036
【図３５】
2007162464.tif 000037
【図３６】
2007162464.tif 000038